(57)【要約】【課題】径寸法が異なる各種のパイプに対して、共通にかつ高い保持力によって確実に取り付けることができるパイプ用フック部材を提供することを課題とする。【解決手段】水平方向に架設されたパイプｔを挟持する挟持部材１ａと、この挟持部材１ａの下部に設けられて小物類を吊り下げるフック部５とを備えたパイプ用フック部材において、挟持部材１ａは、パイプｔの上面に当接する短辺部２ａおよび鉛直方向に延在する長辺部２ｂを備えた逆Ｌ字状のパイプ掛け部材２と、長辺部２ａと共にパイプｔの側面を挟持する押圧部３ａおよび押圧部３ａの下部に形成されパイプｔから離反する方向に延在する操作部３ｂを備えた屈曲状の回動部材３を有し、回動部材３は、押圧部３ａ操作部３ｂとの交差部４を支点とし、パイプ掛け部材２に回動自在に設けられるとともに、押圧部３ａを長辺部２ｂ側に付勢してパイプｔの側面を押圧するバネ部材８が介装されている。【選択図】図１
2011218066.tif 000002
【特許請求の範囲】
【請求項１】
水平方向に架設されたパイプを挟持する挟持部材と、この挟持部材の下部に設けられて小物類を吊り下げるフック部とを備えたパイプ用フック部材において、
上記挟持部材は、上記パイプの上面に当接する短辺部および鉛直方向に延在する長辺部を備えた逆Ｌ字状のパイプ掛け部材と、上記長辺部と共に上記パイプの側面を挟持する押圧部および当該押圧部の下部に形成され上記パイプから離反する方向に延在する操作部を備えた屈曲状の回動部材を有し、
上記回動部材は、上記押圧部と上記操作部との交差部を支点とし、上記パイプ掛け部材に回動自在に設けられるとともに、上記押圧部を上記長辺部側に付勢して上記パイプの側面を押圧するバネ部材が介装されていることを特徴とするパイプ用フック部材。
【請求項２】
上記回動部材の上記押圧部は、上記交差部の支点から上記押圧部の先端部までの長さ寸法が、上記交差部の支点から上記パイプ掛け部材の上記短辺部の内壁側までの長さ寸法より短く形成されていることを特徴する請求項１に記載のパイプ用フック部材。
【請求項３】
上記パイプ掛け部材は、上記交差部の内壁および外壁が円弧状に形成されているとともに、当該内壁の円弧の半径が当該外壁の円弧の半径より大きく形成されていることを特徴とする請求項１または２に記載のパイプ用フック部材。
【請求項４】
上記パイプ掛け部材は、上記短辺部の中央より上記回動部材側の端部の内壁が円弧状に形成されていることを特徴とする請求項１〜３のいずれかに記載のパイプ用フック部材。
【発明の詳細な説明】
【技術分野】
【０００１】
本発明は、パイプ棚などの水平に架設された各種のパイプに着脱自在に取り付けるパイプ用フック部材に関するものである。
【背景技術】
【０００２】
従来から、家庭内の整理用品として、パイプを組み合わせたパイプ棚や収納棚が利用されている。このパイプ棚や収納棚は、販売時からパイプが組み合わさったものや、パイプと、このパイプを繋げるためのジョイントとを各々購入し、それらを目的に合わせて自由に組み合わせるタイプのものがある。
【０００３】
また、このパイプ棚や収納棚のパイプを利用して、小物類を吊り下げて整理するフック部材も市販されている。このフック部材は、鈎状のフック部の上部に、パイプを挟持するための挟持体が設けられているとともに、パイプの径寸法を約１０mmを想定して製作されている。
【０００４】
ところで、上記パイプ棚や収納棚に用いられるパイプの径寸法は、製品毎に寸法が異なる場合がある。そのため、上記フック部材を購入しても、取り付けるパイプの径寸法が１０ｍｍよりも大きい場合には、パイプの周囲を囲繞することができず、上記フック部材に物を掛けると、その自重により挟持体に介装されているバネの付勢に抗して、外れてしまうという問題がある。
【０００５】
また、パイプの径寸法が１０ｍｍよりも小さい場合には、パイプを上記フック部材の挟持体により、パイプを把持することができず、物を掛けようとしても、上記フック部が揺動してしまい、片方の手でフック部材を押させて掛けなければならいという問題がある。
【０００６】
そこで、下記特許文献１においては、基端部および一端が同基端部に対して一体的に連設された環状体からなるバンド部材と、上記基端部に設けられたフックとを備え、上記基端部には、上記帯状体の他端側が挿通可能であるとともに、内部に出没可能な係止爪を有する挿入孔が形成されており、上記帯状体には上記係止爪を相手方とする係止溝が所定の間隔をもって多数設けられていて、上記バンド部材は上記帯状体を上記挿入孔に挿入することによって環状となり、かつ、上記係止爪に対する上記係止溝の係止位置を選択することにより上記環状の径が調整可能な吊下具が提案されている。
【０００７】
この従来の吊下具は、上記係止爪に対する上記係止溝の係止位置を選択することにより、上記帯状体からなる上記バンド部の環状の径を調整することができるため、庭のフェンスや物干し竿など、取り付けるものの柱やパイプの径が異なっていても取り付けることができる。しかも、上記係止爪を相手方とする上記係止溝が間隔をもって多数設けられているため、庭のフェンスや物干し竿の柱やパイプに、しっかりと固定することができる。
【先行技術文献】
【特許文献】
【０００８】
【特許文献１】特開平１０−３３７２４４号公報
【発明の概要】
【発明が解決しようとする課題】
【０００９】
ところが、この従来の吊下具は、庭のフェンスや物干し竿の柱やパイプに取り付ける際に、上記基端部に形成された係止爪を有する上記挿入孔に上記帯状体の他端側を挿通するとともに、上記帯状体に形成された係止溝に、上記係止爪を係止するため、両手を使って取る付けることになり、取り付けおよび取り外しを容易に行えないという問題がある。
【００１０】
本発明は、かかる事情に鑑みてなされたもので、径寸法が異なる各種のパイプに対して、共通にかつ高い保持力によって確実に取り付けることができるパイプ用フック部材を提供することを課題とするものである。
【課題を解決するための手段】
【００１１】
上記課題を解決するために、請求項１に記載の発明は、水平方向に架設されたパイプを挟持する挟持部材と、この挟持部材の下部に設けられて小物類を吊り下げるフック部とを備えたパイプ用フック部材において、上記挟持部材は、上記パイプの上面に当接する短辺部および鉛直方向に延在する長辺部を備えた逆Ｌ字状のパイプ掛け部材と、上記長辺部と共に上記パイプの側面を挟持する押圧部および当該押圧部の下部に形成され上記パイプから離反する方向に延在する操作部を備えた屈曲状の回動部材を有し、上記回動部材は、上記押圧部と上記操作部との交差部を支点とし、上記パイプ掛け部材に回動自在に設けられるとともに、上記押圧部を上記長辺部側に付勢して上記パイプの側面を押圧するバネ部材が介装されていることを特徴とするものである。
【００１２】
また、請求項２に記載の発明は、請求項１に記載の発明において、上記回動部材の上記押圧部は、上記交差部の支点から上記押圧部の先端部までの長さ寸法が、上記交差部の支点から上記パイプ掛け部材の上記短辺部の内壁側までの長さ寸法より短く形成されていることを特徴するものである。
【００１３】
そして、請求項３に記載の発明は、請求項１または２に記載の発明において、上記パイプ掛け部材は、上記交差部の内壁および外壁が円弧状に形成されているとともに、当該内壁の円弧の半径が当該外壁の円弧の半径より大きく形成されていることを特徴とするものである。
【００１４】
さらに、請求項４に記載の発明は、請求項１〜３のいずれかに記載の発明において、上記パイプ掛け部材は、上記短辺部の中央より上記回動部材側の端部の内壁が円弧状に形成されていることを特徴とするものである。
【発明の効果】
【００１５】
請求項１〜４に記載の本発明によれば、水平方向に架設されたパイプを挟持する挟持部材が、逆Ｌ字状のパイプ掛け部材と、屈曲状の回動部材を有しており、さらに上記回動部材が、上記押圧部と上記操作部との交差部を支点とし、上記パイプ掛け部材に回動自在に設けられているとともに、バネ部材を介装しているため、上記回動部材の上記操作部を片手の指によって回動するだけで、誰でも簡単に上記パイプに挟持することができる。これにより、高い場所や狭い場所にあるパイプでも、簡便に取り付けることができる。
【００１６】
また、上記パイプ掛け部材が、上記パイプの上面に当接する短辺部および鉛直方向に延在する長辺部を備えた逆Ｌ字状に形成しているため、上記挟持部材の下部に設けられたフック部に小物類などを掛けて荷重を与えた際に、上記パイプ掛け部材の上記短辺部によって荷重を受けることができる。この結果、荷重が付加されることにより、上記バネ部材の付勢に抗して上記パイプ掛け部材と上記回動部材とが開いて、上記パイプから離脱することを防止することができる。この結果、径寸法の小さいパイプから径寸法の大きいパイプに至るまで挟持することができる。
【００１７】
そして、上記回動部材が、上記バネ部材により、上記長辺部側に付勢して上記パイプの側面を押圧する押圧部を有しているため、上記パイプ用フック部材を上記パイプにしっかりと把持させることができる。これにより、上記フック部に小物類を掛ける際に、上記パイプ用フック部材が揺動しないため、片手で簡単に掛けることができる。
【００１８】
さらに、屈曲状の上記回動部材が、上記押圧部の下部に形成した上記パイプから離反する方向に延在する操作部を備えているため、上記操作部を上記パイプ掛け部材側に上記支点を中心に回動した際に、上記押圧部の回動範囲を大きくとることができる。この結果、径寸法の大きいパイプでも容易に挟持することができる。
【００１９】
請求項２に記載の発明によれば、上記回動部材の上記押圧部における、上記交差部の支点から上記押圧部の先端部までの長さ寸法を、上記交差部の支点から上記パイプ掛け部材の上記短辺部の内壁側までの長さ寸法より短く形成しているため、上記回動部材の上記押圧部が、上記バネ部材の付勢により上記交差部の支点を中心に、上記パイプ掛け部材の内側を回動し、上記パイプの側面を押圧する。この結果、異なる径寸法の上記パイプであっても、上記押圧部がバネ部材の付勢によって、パイプをしっかりと把持することができる。
【００２０】
請求項３に記載の発明によれば、上記パイプ掛け部材が、上記交差部の内壁および外壁を円弧状に形成しているとともに、当該内壁の円弧の半径を当該外壁の円弧の半径より大きく形成しているため、上記交差部の厚さ寸法を上記パイプ掛け部の他の部分の厚さ寸法よりも厚くすることができる。これにより、水平方向に架設された上記パイプを挟持して、上記フック部に荷重を付加しても、上記パイプ掛け部の上記交差部が撓んで破損してしまうことを防止することができる。
【００２１】
請求項４に記載の発明によれば、上記パイプ掛け部材が、上記短辺部の中央より上記回動部材側の端部の内壁が円弧状に形成しているため、径寸法の大きな上記パイプを挟持した際に、上記端部側の内壁に形成された円弧がストッパになって、上記挟持部材から抜け出すのを防止することができる。この結果、径寸法の大きい上記パイプでも、簡便に使用することができる。
【図面の簡単な説明】
【００２２】
【図１】本発明のパイプ用フック部材の一実施形態を示し、（ａ）は正面図、（ｂ）は右側面図、（ｃ）は背面図、（ｄ）は（ａ）のＡ−Ａ断面図である。
【図２】本発明のパイプ用フック部材を（ａ）〜（ｃ）の異なる径寸法のパイプに挟持した状態を示す右側面図である。
【図３】本発明のパイプ用フック部材をパイプに挟持した状態を示す斜視図である。
【図４】本発明のパイプ用フック部材の一実施形態の変形例を示し、図２より径寸法の小さいパイプに挟持した状態を示す右側面図である。
【発明を実施するための形態】
【００２３】
図１〜図３は、本発明のパイプ用フック部材の一実施形態を示し、図４は、本発明のパイプ用フック部材の一実施形態の変形例を示すものである。
図１に示すように、本発明のパイプ用フック部材１は、パイプ掛け部材２および回動部材３とを備えた挟持部材１ａと、フック部５とを有して概略構成されている。
【００２４】
ここで、パイプ掛け部材２は、合成樹脂により形成されている。このパイプ掛け部材２は、図２（ａ）に示すように、水平方向に架設されたパイプｔの上面に当接される短辺部２ａと、この短辺部２ａの一端から鉛直方向の下方に延在する長辺部２ｂとによって、逆Ｌ字状に形成されている。また、短辺部２ａと長辺部２ｂの交差部７は、その内壁と外壁とが円弧状に形成されている。この交差部７の上記内壁と上記外壁の円弧は、上記内壁の円弧の半径が上記外壁の円弧の半径よりも大きく形成されているとともに、上記内壁の円弧が使用するパイプｔの最小径寸法の円周と同一の円弧よって形成されている。ちなみに、パイプｔの最小径寸法は、１３ｍｍである。
【００２５】
そして、パイプ掛け部材２の短辺部２ａの中央より、回動部材３側の端部６のパイプｔが当接する内壁が、図２（ｃ）に示すように、使用するパイプｔの最大径寸法の円周と同一の円弧により形成されている。ちなみに、パイプｔの最大径寸法は、２３ｍｍである。また、長辺部２ｂの鉛直方向の下部にフック部５が設けられている。このフック部５は、金属製の平板を鈎状に成型し、パイプ掛け部材２の長辺部２ｂの下部にインサートされている。
【００２６】
また、回動部材３は、パイプ掛け部材２の長辺部２ｂと共に、パイプｔの側面を挟持する押圧部３ａと、この押圧部３ａの下部に形成されパイプｔから離反する方向に延在する操作部３ｂを備えて屈曲状に形成されている。この屈曲状の回動部材３は、右側面視（図１および図２）において、く字状に形成されている。さらに回動部材３は、押圧部３ａと操作部３ｂとの交差部４を支点として、パイプ掛け部材２に回動自在に設けられている。
【００２７】
そして、パイプ掛け部材２の長辺部２ｂと回動部材３の操作部３ｂとの間には、押圧部３ａをパイプ掛け部材２の長辺部２ｂ側に付勢して、パイプｔの側面を押圧するためのバネ部材８が介装されている。さらに押圧部３ａは、押圧部３ａと操作部３ｂとの交差部４の支点からの長さ寸法が、同支点からパイプ掛け部材２の短辺部２ａの内壁側までの長さ寸法よりも短く形成されている。
【００２８】
また、本発明の一実施形態の変形例では、図４に示すように、逆Ｌ字状に形成されているパイプ掛け部材２の短辺部２ａと長辺部２ｂの交差部７は、上記一実施形態と同様に、その内壁と外壁とが円弧状に形成されているとともに、この交差部７の上記内壁と上記外壁の円弧は、上記内壁の円弧が上記外壁の円弧よりも大きく形成され、上記内壁の円弧がパイプｔの最小径寸法の円周に沿って形成されている。ちなみに、パイプｔの最小径寸法は、８ｍｍである。
【００２９】
さらに、本発明の一実施形態の変形例では、パイプ掛け部材２の短辺部２ａの中央より、回動部材３側に延在する端部６側のパイプｔが当接する内壁が、図４（ｂ）に示すように、パイプｔの最大径寸法の円周に沿って円弧状に形成されている。ちなみに、パイプｔの最大径寸法は、１３ｍｍである。
【００３０】
以上の構成による本実施形態のパイプ用フック部材１を用いて、パイプ棚などのパイプｔに吊り下げて、小物類をフック部５に掛けるには、まず、回動部材３の操作部３ｂをパイプ掛け部材２側に片方の手の指で押し、逆Ｌ字状に形成されたパイプ掛け部材２の短辺部２ａの内壁側に配置されている押圧部３ａを、バネ部材８の付勢に抗して外方に回動させ、挟持するパイプｔの径寸法に合わせて、パイプ掛け部材２と回動部材３とを開く。
【００３１】
次いで、図２（ａ）に示すように、最小径寸法（１３ｍｍ）のパイプｔに挟持させた場合には、パイプｔが、パイプ掛け部材２の短辺部２ａと長辺部２ｂとの交差部７の内壁の円弧に合わさるとともに、短辺部２ａと長辺部２ｂに当接される。そして、回動部材３の操作部３ｂから指を離すと、バネ部材８の付勢により押圧部３ａが、パイプｔの側面を押圧して把持する。
【００３２】
そして、パイプ掛け部材２の長辺部２ｂの下部に設けられたフック部５に、小物類などを掛ける。この際に、パイプ用フック部材１は、図３に示すように、パイプ掛け部材２の短辺部２ａと長辺部２ｂとの交差部７の内壁、および短辺部２ａと長辺部２ｂによって、パイプｔをしっかりと把持して固定される。また、フック部５に吊した小物類の荷重は、パイプ掛け部材２の短辺部２ａによって受けるため、回動部材３の押圧部３ａが、パイプｔの側面を押圧するバネ部材の付勢に抗して外れることがない。
【００３３】
さらに、図２（ｂ）に示すように、最小径寸法（１３ｍｍ）と最大径寸法（２３ｍｍ）の間の径寸法のパイプｔに挟持させた場合には、パイプｔの上面が、パイプ掛け部材２の短辺部２ａに当接されるとともに、パイプｔの一方の側面が長辺部２ｂに当接される。そして、回動部材３の操作部３ｂから指を離すと、バネ部材８の付勢により押圧部３ａが、パイプｔの他方の側面を押圧して把持する。
【００３４】
そして、パイプ掛け部材２の長辺部２ｂの下部に設けられたフック部５に、小物類などを掛ける。この際に、パイプ用フック部材１は、パイプ掛け部材２の短辺部２ａと長辺部２ｂ、および回動部材３の押圧部３ａの３接点によりパイプｔをしっかりと把持して固定する。また、フック部５に吊した小物類の荷重は、パイプ掛け部材２の短辺部２ａによって受けるため、回動部材３の押圧部３ａが、パイプｔの側面を押圧するバネ部材の付勢に抗して外れることがない。
【００３５】
さらに、図２（ｃ）に示すように、最大径寸法（２３ｍｍ）のパイプｔに挟持させた場合には、パイプｔの上面が、パイプ掛け部材２の短辺部２ａおよび端部６の内壁に形成された円弧に合わさるとともに、パイプｔの一方の側面が長辺部２ｂに当接される。そして、回動部材３の操作部３ｂから指を離すと、バネ部材８の付勢により押圧部３ａが、パイプｔの他方の側面を押圧して把持する。
【００３６】
そして、パイプ掛け部材２の長辺部２ｂの下部に設けられたフック部５に、小物類などを掛ける。この際に、パイプ用フック部材１は、パイプ掛け部材２の短辺部２ａおよび端部６の内壁に形成された円弧と、長辺部２ｂおよび回動部材３の押圧部３ａの３接点によりパイプｔをしっかりと把持する。また、フック部５に吊した小物類の荷重は、パイプ掛け部材２の短辺部２ａによって受けるため、回動部材３の押圧部３ａが、パイプｔの側面を押圧するバネ部材の付勢に抗して外れることがない。
【００３７】
また、図４に示す上記一実施形態の変形例である図４（ａ）は、挟持するパイプｔの最小径寸法が、上記一実施形態とは異なり最小径寸法８ｍｍとなるが、上記一実施形態の図２（ａ）の最小径寸法（１３ｍｍ）と同様に作用する。また、図４（ｂ）は、挟持するパイプｔの最大径寸法が、上記一実施形態とは異なり最大径寸法１３ｍｍとなるが、上記一実施形態の図２（ｃ）の最大径寸法（２３ｍｍ）と同様に作用する。
【００３８】
上述の実施形態によるパイプ用フック部材１によれば、水平方向に架設されたパイプｔを挟持する挟持部材１ａが、逆Ｌ字状のパイプ掛け部材２と、屈曲状の回動部材３を有しており、さらに回動部材３が、押圧部３ａと操作部３ｂとの交差部４を支点とし、パイプ掛け部材２に回動自在に設けられているとともに、押圧部３ａをパイプ掛け部材２の長辺部２ｂ側に付勢するバネ部材８を介装しているため、回動部材３を片手で回動するだけで、誰でも簡単にパイプｔに挟持することができる。これにより、高い場所や狭い場所にあるパイプｔでも、簡便に取り付けることができる。
【００３９】
また、パイプ掛け部２が、パイプｔの上面に当接する短辺部２ａおよび鉛直方向に延在する長辺部２ｂを備えた逆Ｌ字状に形成しているため、挟持部材１ａの下部に設けられたフック部５に小物類を掛けて荷重を与えた際に、パイプ掛け部２の短辺部２ａによって荷重を受けることができる。この結果、荷重が付加されることにより、バネ部材８の付勢に抗してパイプ掛け部材２と回動部材３とが開き、パイプｔから離脱することを防止することができる。この結果、径寸法の小さいパイプｔから径寸法の大きいパイプｔまで対応することができる。
【００４０】
さらに、パイプ掛け部材２が、交差部７の内壁および外壁を円弧状に形成し、この円弧が、当該外壁の円弧の半径より当該内壁の円弧の半径のほうが大きく形成しているため、交差部７の厚さ寸法をパイプ掛け部材２の他の部分の厚さ寸法よりも厚くすることができる。これにより、水平方向に架設されたパイプｔを挟持して、フック部５に荷重を付加しても、パイプ掛け部材２の交差部７が撓んで破損してしまうことを防止することができる。
【００４１】
また、回動部材３が、バネ部材８により、パイプ掛け部材２の長辺部２ｂ側に付勢してパイプｔの側面を押圧する押圧部３ａを有しているため、パイプ用フック部材１をパイプｔにしっかりと把持させることができる。これにより、フック部５に小物類を掛ける際に、パイプ用フック部材１が揺動しないため、容易に掛けることができる。
【００４２】
しかも、フック部５に付加された荷重を、パイプ掛け部材２の短辺部２ａによって受けるため、付加された荷重によって、バネ部材８の付勢に抗して、挟持部材１ａが開くことがなく、強力な付勢力を持つバネ部材８を用いる必要がない。この結果、製造コストを抑えることができる。
【００４３】
また、パイプ掛け部材２が、短辺部２ａの中央より回動部材３側の端部６の内壁が円弧状に形成されているため、図２（ｃ）および図４（ｂ）に示すように、径寸法の大きなパイプｔを挟持した際に、端部６の内壁に形成された円弧がストッパになって、挟持部材１ａから抜け出すのを防止することができる。この結果、径寸法の大きいパイプｔでも、容易に使用することができる。
【００４４】
そして、屈曲状に形成されたの回動部材３が、押圧部３ａの下部に、パイプｔから離反する方向に延在する操作部３ｂを備えているため、操作部３ｂをパイプ掛け部材２側に上記支点を中心に回動した際に、押圧部３ａの回動範囲を大きくとることができる。この結果、径寸法の大きいパイプｔでも容易に挟持することができる。
【００４５】
さらに、回動部材３の押圧部３ａにおける、交差部４の支点から押圧部３ａの先端部までの長さ寸法が、交差部４の支点からパイプ掛け部材２の短辺部２ａの内壁側までの長さ寸法より短く形成しているため、回動部材３の押圧部３ａが、バネ部材８の付勢により交差部４の支点を中心に、パイプ掛け部材２の内側を回動し、パイプｔの側面を押圧する。この結果、異なる径寸法のパイプｔであっても、押圧部３ａがバネ部材８の付勢によって、パイプｔをしっかりと把持することができる。
【００４６】
なお、上記実施の形態において、回動部材３の押圧部３ａが、パイプ掛け部材２の短辺部２ａの内壁側に配置されている場合のみ説明したが、これに限定されるものでなく、例えば、押圧部３ａの一部が、パイプ掛け部２の短辺部２ａに形成された切欠部内に配置されていても対応可能である。要するに、挟持するパイプｔの径寸法が異なっていても、押圧部３ａが、バネ部材８の付勢によりパイプｔの側面を押圧することができれば、どのような形状でも対応可能である。
【産業上の利用可能性】
【００４７】
パイプ棚などのパイプに挟持して利用することができる。
【符号の説明】
【００４８】
１  パイプ用フック部材
２  パイプ掛け部
２ａ  短辺部
２ｂ  長辺部
３  回動部材
３ａ  押圧部
３ｂ  操作部
４  支点
５  フック部
６  端部
７  交差部
８  バネ部材
ｔ  パイプ
【図１】
2011218066.tif 000003
【図２】
2011218066.tif 000004
【図３】
2011218066.tif 000005
【図４】
2011218066.tif 000006